(57)【要約】【課題】防犯機能を備え、かつ、設置場所が制限されることのないタバコ自動払出機を提供する。【解決手段】前後方向に伸縮自在なレール機構Ｒにより前面が開口した箱形の本体１内に格納および本体１内から前方に引き出し可能であって、商品搬出機構６４の上にタバコを上下方向に積み重ねて収納し、かつ、タバコの装填口が左右方向を向く態様の左右２列の商品コラム６１１を前後方向に複数有し、当該左右２列の商品コラム６１１の商品払出機構６４の払出口がタバコの落下搬出路６００となるように間隔を置いて対峙する態様で配設された商品ラック６と、タバコの取出口５０を有して前記本体１の前面開口の下部域を閉塞する取出口ユニット５の上部に位置して前記本体１の前面開口の上部域を閉塞する上下方向に昇降自在に配設されたドア４とを備え、このドア４を取出口ユニット５の前方側に下降させることによりレール機構Ｒを介して本体内に格納された商品ラック６の前方への引き出しを許容する。【選択図】図１
2018181003.tif 000002
【特許請求の範囲】
【請求項１】
前面が開口した箱形の本体と、この本体の天井面に敷設された前後方向に伸縮自在なレール機構と、このレール機構により本体内に格納および本体内から前方に引き出し可能であって、レール機構を挟んで左右２列配設され、商品搬出機構の上にタバコを上下方向に積み重ねて収納し、かつ、タバコの装填口が左右方向を向く態様の商品コラムを前後方向に複数有し、当該左右２列の商品コラムの商品払出機構の払出口がタバコの落下搬出路となるように間隔を置いて対峙する態様で配設された商品ラックと、前記本体の前面開口の下部域を閉塞する態様で配設され、前記商品コラムから払い出されたタバコの取出口を備えた取出口ユニットと、この取出口ユニットの上部に位置して前記本体の前面開口の上部域を閉塞する態様で上下方向に昇降自在に配設されたドアとを備え、このドアを下降させることによりレール機構を介して本体内に格納された商品ラックの前方への引き出しを許容することを特徴とするタバコ自動払出機。
【請求項２】
請求項１に記載のタバコ自動払出機において、ドアは、上部ドアおよび下部ドアからなり、上部ドアの下端部と下部ドアの上端部とにそれぞれ互いに係合・離脱可能な係合部を有し、上部ドアの上下動に連動して下部ドアが上下動することを特徴とするタバコ自動払出機。
【請求項３】
請求項１に記載のタバコ自動払出機において、上部ドアに液晶ディスプレイを有することを特徴とするタバコ自動払出機。
【発明の詳細な説明】
【技術分野】
【０００１】
この発明は、コンビエンスストアに設置されるタバコ自動払出機に係り、顧客により選択されたタバコの注文媒体により精算を行う精算装置からの信号に基づいて選択されたタバコを払い出すたばこ自動払出機に関する。
【背景技術】
【０００２】
嗜好品であるタバコの販売は、金銭を投入したうえで前面ドアの商品展示室に展示された商品を選択ボタンにより選択することにより商品収納ラックに収納されたタバコを自動的に搬出するタバコ自動販売機に加え、コンビニエンスストアなどで店頭販売されている。タバコを店頭販売するコンビエンスストアなどでは、精算装置を備えたレジカウンターの中（背面側）に設置された商品ラックにタバコが載置されているのが一般的である。この商品ラックは、上下方向に多段に設置された商品棚を備え、この商品棚上に仕切部材により左右方向に複数に画成された収納位置にタバコを前後方向に整列して収納するように構成されている。この場合、商品棚の複数の収納位置に収納されたタバコは前方から視認可能で取り出すことが可能なように構成されており、商品ラックに収納されたタバコは、顧客からの口頭による注文を受けた店員により取り出されて決済処理、すなわち、タバコのバーコードを精算装置に付属するバーコードリーダーで読み取った上で顧客から預かった金銭を精算装置に登録し、釣銭が必要な場合には釣銭と共にタバコを顧客に手渡す。
【０００３】
ここで、タバコの種類は多数にのぼることから、商品ラックには種類の異なるタバコが縦横に多数配置されることとなる。このため、注文を受けた店員は、商品ラックに縦横に収納されたタバコの中から注文に応じたタバコを探し出さねばならない。この場合、コンビニエンスストアの店員は、アルバイトの店員であることが多々あり、商品ラックから注文に応じた商品を直ちに探し出すのは至難の業である。従って、注文を受けてから決済するまでに時間を要し、その間、顧客を待たせることとなり、顧客に不快感を与えてしまう。決済ができれば未だしも、注文されたタバコが売切れである場合には顧客を待たせた上に決済できないことから店員の精神的負担も計り知れない。
【０００４】
このような店員の負担を軽減するため、顧客が操作可能な注文端末を設置すると共に商品ラックの複数の収納位置ごとに発光素子を設け、顧客が注文端末により注文すると、注文されたタバコの収納位置の発光素子が点灯するようにしたものも知られている（例えば、特許文献１）。
【０００５】
かかる特許文献１に開示された発明においては、注文端末から顧客が注文を行うと同時に商品ラックにおける対応する収納位置の発光素子が点灯することから、店員は即座にタバコを取り出すことができる。したがって、特許文献１に開示された発明においては、顧客を待たせるという店員の精神的な負担を軽減することが可能となる利点を有する。しかしながら、商品ラックに収納されたタバコは、誰でもが取り出せる状態にあることから、悪意を持つ者に着服されるおそれがあることは否めない。
【０００６】
この問題を解決するため、前記商品ラックを筐体の内部に設置すると共に商品ラックにタバコを搬出する商品搬出機構を追加装備し、注文端末からの注文に応じて対応する商品搬出機構を駆動することによりタバコを払い出すもの、例えば、周知のタバコ自動販売機の商品ラックの構造を採用することが考えられる。
【０００７】
タバコ自動販売機は、前面が開口した箱形の販売機本体と、この販売機本体の一方の端部にヒンジ機構を介して回動自在に取り付けられ、販売機本体の前面を開閉する前面ドアとを備えている。販売機本体の内部および前面ドアの背面側には、それぞれ多数のタバコを上下方向に積み重ねて収納する商品ラックが設けられている。商品ラックは、商品搬出機構の上にタバコを上下方向に積み重ねて収納した商品コラムを有しており、この商品コラムが左右方向に複数並設されている。販売機本体側の商品コラムは、タバコの装填口が前面を向く態様で設けられ、前面ドア側の商品コラムは、タバコの装填口が後方を向く態様で設けられ、前面ドアを開放することにより、それぞれの商品ラックにおける商品コラムにタバコを装填することができるものである。このタバコ自動販売機の商品ラックの構造を採用することにより店頭販売されるタバコに手を触れることができないようにすることが可能となる。
【先行技術文献】
【特許文献】
【０００８】
【特許文献１】特開２０１０−１６０７３１号公報
【発明の概要】
【発明が解決しようとする課題】
【０００９】
ところで、タバコ自動販売機では、一般的に、より多くの商品を収納するために、販売機本体側の商品ラックは、販売機本体の左右方向の幅一杯で、かつ、販売機本体内の奥まった位置に配置される一方、前面ドア側の商品ラックは、前面ドアの背面側に張り出すように配置される。このような前面ドア側の商品ラックは、前面ドアが閉じられた状態では、販売機本体内に収容される一方、前面ドアの開閉の際には、前面ドアと共に回動する。このように前面ドアを開閉させる際の前面ドア側の商品ラックにおける前面ドアのヒンジ機構と反対側の端部（ヒンジ機構の対向端部ともいう）の回動軌跡は、その商品ラックが販売機本体内に収容される態様（つまり、販売機本体内に張り出す態様）で設けられているため、ヒンジ機構の対向端部がヒンジ機構よりも販売機本体の内部側に位置しており、これに対向する販売機本体の側壁付近を通過する際に、外方に膨らむように回動する。そこで、ヒンジ機構の対向端部が販売機本体の上記側壁に干渉することなく前面ドアの円滑な開閉を確保するため、前面ドア側の商品ラックは、前面ドアのヒンジ機構とは反対側の端部との間に所定間隔を隔てた状態に配置される。その結果、前面ドアを閉じた状態では、販売機本体の上記側壁と前面ドア側の商品ラックとの間には、その商品ラックのヒンジ機構の対向端部が販売機本体の側壁に当たるのを回避するための逃げスペースを形成する必要があるので、前面ドア側の商品ラックの左右方向の幅が狭くなり、商品コラムの数を減らさねばならなくなるという課題を有するものである。
【００１０】
また、タバコ自動販売機の販売機本体側の商品ラックおよび前面ドア側の商品ラックのヒンジ機構側の商品コラムにタバコを装填する際には、前面ドアを大きく開放（例えば、１２０度）せねばならないので、設置場所が制限されてしまうという課題を有するものである。
【００１１】
本発明は上記の点に鑑みなされたものであり、その目的は前記課題を解決し、防犯機能を備え、かつ、設置場所が制限されることのないタバコ自動払出機を提供することにある。
【課題を解決するための手段】
【００１２】
上記目的を達成するために請求項１にかかる発明は、前面が開口した箱形の本体と、この本体の天井面に敷設された前後方向に伸縮自在なレール機構と、このレール機構により本体内に格納および本体内から前方に引き出し可能であって、レール機構を挟んで左右２列配設され、商品搬出機構の上にタバコを上下方向に積み重ねて収納し、かつ、タバコの装填口が左右方向を向く態様の商品コラムを前後方向に複数有し、当該左右２列の商品コラムの商品払出機構の払出口がタバコの落下搬出路となるように間隔を置いて対峙する態様で配設された商品ラックと、前記本体の前面開口の下部域を閉塞する態様で配設され、前記商品コラムから払い出されたタバコの取出口を備えた取出口ユニットと、この取出口ユニットの上部に位置して前記本体の前面開口の上部域を閉塞する態様で上下方向に昇降自在に配設されたドアとを備え、このドアを下降させることによりレール機構を介して本体内に格納された商品ラックの前方への引き出しを許容することを特徴とする。
【００１３】
また、請求項２に係る発明は、請求項１に記載のタバコ自動払出機において、ドアは、上部ドアおよび下部ドアからなり、上部ドアの下端部と下部ドアの上端部とにそれぞれ互いに係合・離脱可能な係合部を有し、上部ドアの上下動に連動して下部ドアが上下動することを特徴とする。
【００１４】
また、請求項３に係る発明は、請求項１に記載のタバコ自動払出機において、上部ドアに液晶ディスプレイを有することを特徴とする。
【発明の効果】
【００１５】
本発明の請求項１に係る自動販売機によれば、前面が開口した箱形の本体と、この本体の天井面に敷設された前後方向に伸縮自在なレール機構と、このレール機構により本体内に格納および本体内から前方に引き出し可能であって、レール機構を挟んで左右２列配設され、商品搬出機構の上にタバコを上下方向に積み重ねて収納し、かつ、タバコの装填口が左右方向を向く態様の商品コラムを前後方向に複数有し、当該左右２列の商品コラムの商品払出機構の払出口がタバコの落下搬出路となるように間隔を置いて対峙する態様で配設された商品ラックと、前記本体の前面開口の下部域を閉塞する態様で配設され、前記商品コラムから払い出されたタバコの取出口を備えた取出口ユニットと、この取出口ユニットの上部に位置して前記本体の前面開口の上部域を閉塞する態様で上下方向に昇降自在に配設されたドアとを備え、このドアを取出口ユニットの前方側に下降させることによりレール機構を介して本体内に格納された商品ラックの前方への引き出しを許容することにより、店頭販売されるタバコを本体内に格納して手を触れることができないようにすることが可能である。また、商品コラムの商品払出機構を注文端末からの注文に応じて作動させることにより、店員はタバコ自動払出機の取出口に払い出されたタバコを取り出して直ちに顧客に手渡すことができるものである。従って、店員を支援、つまり、顧客を待たせるという店員の精神的負担を軽減することが可能なタバコ自動払出機を提供することができるという効果を奏する。
【図面の簡単な説明】
【００１６】
【図１】本発明が対象とするタバコ自動払出機を備えた店員支援システムの概略図である。
【図２】図１のタバコ自動払出機の分解斜視図である。
【図３】図２の本体を示し、（ａ）はその正面斜視図、（ｂ）は（ａ）の分解斜視図である。
【図４】レール機構の斜視図である。
【図５】商品ラックの斜視図である。
【図６】図５の商品ラックの分解斜視図である。
【図７】図６の下段のコラム群を拡大して示す一部分解図である。
【図８】上部ドアを示し、（ａ）はその正面斜視図、（ｂ）はその背面斜視図である。
【図９】上部ドアのロック機構を示し、（ａ）はその正面斜視図、（ｂ）はその背面斜視図である。
【図１０】下部ドアを示し、（ａ）はその正面斜視図、（ｂ）はその背面斜視図である。
【図１１】取出口ユニットを示し、（ａ）はその正面斜視図、（ｂ）はその背面斜視図である。
【図１２】ガイド機構部を示し、（ａ）はその正面斜視図、（ｂ）はその背面斜視図である。
【図１３】図１２のガイド機構部の分解図である。
【図１４】懸架機構の斜視図である。
【図１５】図１４の懸架機構の要部を示し、（ａ）はプーリー部分の斜視図、（ｂ）はベルトと係止部材との関係を示す背面斜視図、（ｃ）はベルトと係止部材との連結を示す要部斜視図である。
【図１６】図１２のＡ−Ａ線断面図である。
【図１７】ガイド機構部を本体内に収容した斜視図である。
【図１８】本体に装着した上部ドア、下部ドア、取出口ユニットとの関係を示す概略側面図である。
【図１９】タバコ自動払出機へのタバコの補充を説明する図であり、（ａ）は通常時のタバコ自動払出機の斜視図、（ｂ）は上部ドアおよび下部ドアを下降させた状態のタバコ自動払出機の斜視図、（ｃ）は本体から商品ラックを引き出した状態のタバコ自動払出機の斜視図である。
【発明を実施するための形態】
【００１７】
以下、本発明の実施の形態に係るタバコ自動払出機を図面に基づいて詳細に説明する。図１は本発明が対象とするタバコ自動払出機を備えた店員支援システムの概略図である。なお、左右とは、自動販売機の前面から見た場合の左右を指すものである。
【００１８】
図１において、１００はレジカウンターの中（背面側）に設置されるタバコ自動払出機であり、レジカウンター上に設置される精算装置２００を備えたコンビニエンスストアなどで利用されるものである。タバコ自動払出機１００は、前面が開口した箱形の本体１と、本体１の前面開口を閉塞する態様で配設される上部ドア２および下部ドア３からなるドア４と、取出口ユニット５を備え、上部ドア２および下部ドア３が上下方向にスライド移動可能に構成され、取出口ユニット５が本体１の内部に収容される態様で固定されている。また、本体１の内部には、本体の天井面に敷設された前後方向に伸縮自在なレール機構Ｒ（後述の図４参照）により本体１内に格納および本体１内から前方に引き出し可能な商品ラック６（後述の図５などを参照）が配設されている。
【００１９】
精算装置２００は、自動釣銭機として用いられる貨幣処理機２００Ａとレジスタ制御部２００Ｂを備えた電子式キャシュレジスタからなる。精算装置２００は、直方体状を成す貨幣処理機２００Ａの前端部に硬貨装填口２０１、硬貨出金口２０２、硬貨返却口２０３、紙幣装填口２０４、紙幣出金口２０５を有し、レジスタ制御部２００Ｂの上にタッチパネル方式の入出力画面２０６を備え、また、レジスタ制御部２００Ｂには、バーコードリーダー２０７が接続されている。
【００２０】
図１において、３００は顧客が店頭販売されるタバコを注文する注文エントリー端末機であり、精算装置２００の近傍に設置される。この注文エントリー端末機３００は、顧客の操作面にタッチパネル方式の表示画面３０１、テンキー３０２、決定ボタン３０３、オーダーシート発行部３０４を備え、機内には表示画面３０２に表示する画面を顧客の操作に応じて切り替え制御する表示画面制御装置、オーダーシートを発行するプリンタなどが内蔵されている。なお、テンキー３０２および決定ボタン３０３は、表示画面３０１が故障した際にタバコのパッケージとナンバーを印刷したカタログなどを見てテンキー３０２でナンバーを入力した上で決定ボタン３０３を操作して注文するようにした補助手段である。
【００２１】
図１に示した店員支援システムにおいては、顧客が注文エントリー端末機３００の表示画面を操作して希望するタバコを選択すると機内に内蔵したプリンタによりタバコのパッケージに付されたバーコードを印刷したオーダーシートがオーダーシート発行部３０４から発行される。顧客はこのオーダーシートを持ってレジカウンターの店員に手渡すと共に貨幣を支払う。店員は受け取ったオーダーシートのバーコードをバーコードリーダー２０７で読み取ると共に貨幣を硬貨装填口２０１若しくは紙幣装填口２０４に投入して一時保留する。精算装置２００は、バーコードリーダー２０７でオーダーシートのバーコードが読み取られると、オーダーシートのバーコードに対応するタバコの金額および投入貨幣の合計額を入出力画面２０６に表示し、顧客が支払った貨幣額と入出力画面２０６に表示した投入貨幣の合計額が一致（若しくは顧客が承認）した場合に現計ボタンを操作することによりタバコの種別および金額と投入貨幣の合計額を登録して一時保留した貨幣を貨幣処理機２００Ａに取り込み、釣銭が必要な場合には釣銭額を算出して貨幣処理機２００Ａから払い出す。なお、顧客が購入を止めた場合には、貨幣処理機２００Ａに一時保留された貨幣が返却される。前述した現計ボタンが操作されるとバーコードリーダー２０７で読み取られたバーコードデータがタバコ自動払出機１００に送信され、タバコ自動払出機１００はバーコードデータに対応するタバコを商品ラックから取出口ユニット５の取出口５０に払い出す。そこで、店員は取出口５０に払い出されたタバコを取り出し、釣銭がある場合には釣銭と共に顧客に手渡す。このように、図１に示した店員支援システムにおいては、従来装置のように店員がタバコを探す出す手間を省くことができる。
【００２２】
さて、図１に示したタバコ自動払出機１００の構成を図２に示す。図２は、タバコ自動払出機１００の主要部を分解して示す分解図である。図２に示すようにタバコ自動払出機１００は、前面が開放した箱形の本体１と、この本体１の前面開口を閉塞する態様で配設される上部ドア２，下部ドア３からなるドア４、本体１内に収容される形態で固定された取出口ユニット５と、本体１の天井面に敷設された前後方向に伸縮自在なレール機構Ｒにより本体１内に格納および本体１内から前方に引き出し可能な２基の商品ラック６，６とからなる。なお、７は上部ドア２を上下方向にスライド移動させるガイド機構部、８は下部ドア３をスライド移動させるガイド部材であり、それぞれ本体１内部の開口部近傍に配設されるものである。
【００２３】
本体１は、図３に示すように、底板となる基台１１に鋼板製の外箱、すなわち、天板１２、左右側板１３，１４、背板１５を溶接して前面が開口した箱形として構築され、補強部材１７，１７により補強されている。１８Ａ，１８Ｂ（図２の（ｂ）参照）は、本体１の天井面にレール機構Ｒを付設するためのレール取付部材で、レール取付部材１８Ａが天板１２の前端側に固着され、レール取付部材１８Ｂが天板１２後端と背板１５上端に跨って固着され、レール取付部材１８Ａ，１８Ｂに跨る補強部材１８Ｃが天板１２に固着されている。なお、背板１５には取出口ユニット５をねじ止めするためのねじ穴が穿設された固定金具１５Ａが固着されているものである。
【００２４】
本体１の天井面に敷設されるレール機構Ｒを図４に示す。図４に示すうようにレール機構Ｒは、厚板鋼板により形成された固定レールＲ１、可動レールＲ２および係合レールＲ３からなり、固定レールＲ１が本体１の天井面に設けたレール取付部材１８Ａ，１８Ｂに跨る態様で前後方向に敷設され、この固定レールＲ１に可動レールＲ２が前後方向にスライド移動自在に支持され、この可動レールＲ２に係合レールＲ３が前後方向にスライド移動自在に支持された構成となる。前記固定レールＲ１、可動レールＲ２および係合レールＲ３はそれぞれ略同一の長さを有している。このレール機構Ｒについては特開２０１０−９７４４５号公報に開示されて公知のものである。
【００２５】
前記レール機構Ｒを介して本体１内に格納された商品ラック６を図５乃至図７に示す。図５は商品ラック６の斜視図であり、図６は図５の商品ラック６の分解図、図７は下段のコラム群の分解図である。
【００２６】
商品ラック６は、図６に示すように、中央に前後方向に延在する凹溝６０１１を有する天板６０１と矩形平板状の前ラック板６０２と後ラック板６０３とを備え、天板６１０の凹溝６０１１にＵチャンネル状の係合レールＲ３を嵌め込んで当該Ｕチャンネル状の係合レールＲ３の底面と凹溝６０１１との間をねじ止めすることにより天板６０１と係合レールＲ３とが一体化されている。前ラック板６０２と後ラック板６０３は天板６０１の前縁および後縁にねじ止めして固着されている。そして、商品ラック６は、係合レールＲ３（レール機構Ｒ）を挟んで左右２列の右コラム６１と左コラム６２を有している。右コラム６１と左コラム６２の下部にはガイド板６９により支持された前後一対のローラー６９１，６９１が左右方向に張り出す態様で取付けられ、このローラー６９１，６９１は、後述する図１７に示した揺れ止め部材１９に当接するように構成されている。なお、図６では前記ガイド板６９については省略している。
【００２７】
前記右コラム６１と左コラム６２の構造は略同一であり、以下では右コラム６１について説明し、左コラム６２については相違点について以下に説明する。
【００２８】
右コラム６１は、上下３段の右コラム群６１Ａ〜６１Ｃに区分されている。右コラム群６１Ａ〜６１Ｃには、前ラック板６０２と後ラック板６０３との間に互いに間隔を置いて設置される複数（この例では６個）の仕切部材６３（図６では最前列の仕切部材６３を分解した状態を示している）により前後方向に複数（この例では７個）に区分された商品コラム６１１が画成されている。各商品コラム６１１は下部に配設される商品搬出機構６４の上にタバコを上下方向に積み重ねて収納するものであり、各商品コラム６１１の左右方向の一方（右側）が開放したタバコの装填口として形成される一方、左右方向の他方（左側）が平板状の側壁板６５（図６，図７参照）により閉鎖されている。つまり、商品コラム６１１は、前後に隣接する仕切板６３，６３と側壁板６５で囲まれた空間にタバコを積み重ねて収納するものである。
【００２９】
前記仕切部材６３は上下３段の右コラム群６１Ａ〜６１Ｃに跨る１枚の薄板鋼板製になり、左縁（商品搬出機構６４のタバコ搬出経路方向前端側の縁）に突出して形成されたフック状の係合爪６３１を上下多段に備え、また、商品搬出機構６４は取付基台６４０との干渉を避けるために上下方向に３個の切欠き６３２を備えている。更に、仕切部材６３に上下両端にはそれぞれ突出して形成された突起６３３，６３４を備えている。
【００３０】
前記商品搬出機構６４は積み重ねて収納した最下位のタバコを右側から左側方向の搬出経路方向に押し出すものであり、図７に示すように、タバコを載置面６４２に積み重ねて載置する本体ケース部６４１と、本体ケース部６４１の載置面６４２に積み重ねて載置される最下位のタバコの搬出経路方向後端を押して当該タバコを搬出経路方向前方に搬出するプッシャ６４３と、本体ケース部６４１の載置面６４２に載置されるタバコの搬出経路方向前部を支持すると共にそのタバコがプッシャ６４３によって押し出されて搬出経路方向前方の払出口に搬出される場合に下方に回動してタバコを安定して搬出させる商品支持部材６４４と、本体ケース部６４１の載置面６４２に載置されるタバコの有無を検出するための売切検知レバー６４５等を備えている。本体ケース部６４１の底面には、前ラック板６０２と後ラック板６０３に架設される取付基台６４０に設けた爪部６４０ａ、６４０ｂに係合する爪溝部（不図示）を備え、これにより商品搬出機構６４は取付基台６４０に着脱自在に取付けられている。なお、前記商品搬出機構６４が並置される取付基台６４０の右端には、隣接する商品搬出機構６４の間に位置する複数の切り込み６４０ｃが形成されている。この切り込み６４０ｃは仕切部材６３の切欠き６３２に対峙する部位の挿入を許容するものである。
【００３１】
前記側壁板６５は合成樹脂製になり、前ラック板６０２と後ラック板６０３に架設される。この側壁板６５の板面には係止スリット６５１が前後方向に複数形成されている。この係止スリット６５１は、仕切部材６３のフック状の係合爪６３１を係止固定するものである。そして、側壁板６５の下部には商品搬出機構６４の載置面６４１との間の間隔（払出口の高さ）を規制し、商品搬出機構６４により払出口に押し出されるタバコのみの通過を許容する規制片６６（図７参照）が上下方向にスライド移動自在に支持されている。
【００３２】
前記仕切部材６３の取付けは、３個の切欠き６３２を３段の商品搬出機構６４の取付基台６４０の切り込み６４０ｃに対峙させて当該切り込み６４０ｃに挿入（左方向に押し込む）した上で上方にスライド移動させて上端に設けた突起６３３を天板６０１のスリット６０１２に差し込む。そして、前記スリット６０１２をガイドとして左方向に押し込んで上下多段に設けたフック状の係合爪６３１を側壁板６５の係止スリット６５１に挿入した上で下降させるとフック状の係合爪６３１が係止スリット６５１に係止固定される。
【００３３】
なお、上下３段の右コラム群６１Ａ〜６１Ｃにおける商品コラム６１１の装填口に回動自在に配置されたクランク状の支持杆６７（図６では最前列の仕切部材６３を分解した状態を示している）は周知（例えば、特開２００７−２４９８８２号公報）のとおり、商品コラム６１１に上下方向に積み重ねられた商品の前方への倒れ込みを防止するものである。
【００３４】
左コラム６２も右コラム６１と同様に上下３段の左コラム群６２Ａ〜６２Ｃに区分され、左コラム群６２Ａ〜６２Ｃには、矩形平板状の前ラック板６０２と後ラック板６０３との間に互いに間隔を置いて設置される複数の仕切部材６３により前後方向に複数（この例では７個）に区分された商品コラム６１１が画成されている。左コラム群６２Ａ〜６２Ｃの各商品コラム６１１も下部に配設される商品搬出機構６４の上にタバコを上下方向に積み重ねて収納するものである。この場合、左コラム６２が右コラム６１と異なる点は、左コラム群６２Ａ〜６２Ｃの各商品コラム６１１の左右方向の一方（左側）が開放したタバコの装填口として形成される一方、左右方向の他方（右側）が平板状の側壁板６５（図６参照）により閉鎖され、また、左コラム群６２Ａ〜６２Ｃの各商品コラム６１に設置した商品搬出機構６４が積み重ねて収納した最下位のタバコを左側から右側方向の搬出経路方向に向けて押し出すように動作する点である。このように、左コラム６２と右コラム６１とはそれぞれの商品搬出機構６４，６４の払出口が対峙する態様で配設されている。更に、左コラム６２と右コラム６１とは両者の間に所定の間隔を有する態様で離隔して配設され、両者の間がタバコの落下搬出路６００（図６参照）として形成されている。
【００３５】
なお、商品ラック６の前ラック板６０２に取付金具６８０により引き起こし自在に設けた把手６８１と、係合レールＲ３の前端に段付きねじ６８３０（図５参照）を支点に回動自在なロック金具６８３と、前記把手６８１およびロック金具６８３を連繋するスライド板６８２とからなる周知（例えば、特開２００６−１１９７８９号公報）のロック機構は、商品ラック６を本体１に格納した状態でロック金具６８３をレール機構Ｒ１に係合させてロックし、前記把手６８１を引き起こすことによりスライド板６８２を介してロック金具６８３を回動させることにより前記ロックを解除して本体１からの商品ラック６の引き出しを可能するとものである。
【００３６】
このように商品ラック６は、レール機構Ｒにより本体１内に格納および本体１内から前方に引き出し可能であって、レール機構Ｒを挟んで左右２列配設され、商品搬出機構６４の上にタバコを上下方向に積み重ねて収納し、かつ、タバコの装填口が左右方向を向く態様の商品コラム６１１を前後方向に複数有し、当該左右２列の商品コラム６１１の商品払出機構６４の払出口がタバコの落下搬出路６００（図６参照）となるように間隔を置いて対峙する態様で配設されているものである。なお、商品ラック６に搭載される電装品（商品搬出機構６４のプッシャ６４３の駆動源であるモータ、売切検知スイッチ）と本体１内の下部に配設される制御ユニットとの間のハーネスは、商品ラック６の背面と本体１の背板１５との間の空間にＵ字状に垂れ下げて配置される。この場合、ハーネスを保護するため、例えば特開２０１２−４３３２５号公報に開示されたガイド部材を介して引き回すことができるものである。
【００３７】
本体１の前面開口を閉塞する態様で配設される上部ドア２および下部ドア３からなるドア４について以下に説明する。図８はドア４にかかる上部ドア２を示し、（ａ）はその正面斜視図、（ｂ）はその背面斜視図であり、図９は上部ドア２に設けたロック機構を示し、（ａ）はその正面斜視図、（ｂ）はその背面斜視図であり、図１０は下部ドア３を示し、（ａ）はその正面斜視図、（ｂ）はその背面斜視図である。
【００３８】
ドア４にかかる上部ドア２は、図８に示すように、矩形枠状で背面が開放した薄い箱形の鋼板製になるドアフレーム２１を備えている。ドアフレーム２１の正面側には窓２２を有し、左右のフランジ２１０，２１０の前面側が化粧枠２０（図８の（ａ）では正面視右側の化粧枠２０を分解した状態を示しており、正面視左側のフランジ２１０は化粧枠２０で隠れている）で覆われている。背面側がカバー２４により覆われたドアフレーム２１内には前記窓２２に表示面が臨む液晶ディスプレイ２３が取付けられている。ドアフレーム２１の左右のフランジ２１０，２１０には大径の丸穴の上部に丸穴の径より小さい幅の細溝が連通した所謂「だるま穴」形状の係止部２１１ａが上下方向に３個設けられている。また、ドアフレーム２１の前面の四隅には合成樹脂製になる引手部２４が設けられている。各引手部２４は、矩形枠状の前縁から背後側に凹んだ指掛け部を備えたものであり、ドアフレーム２１の板面に穿設した開口２４０に嵌合されている。４つの引手部２４のうち、正面視右下の引手部２４は指掛け部および矩形枠状の前縁の下辺を削除して引手部２４の前面と背面とが連通する態様で形成（つまり、連通口が形成）され、また、その開口２４０には溝部２４０ａが形成され、この溝部２４０ａは後述する図９に示したロック解除レバー２７の摘み２７０の回動を許容するものである。さらに、ドアフレーム２１の底壁には背面側に張り出して上方を向く態様で曲げ起こしたフック状の係止部２８が形成される共に底壁の下面に衝撃吸収材としてのゴム２９が設けられている。
【００３９】
開口２４０の背面側には、上部ドア２を所定位置でロックするロック機構を構成するロック金具２５（図９も参照）が取付金具２６を介してドアフレーム２１に取付けられている。取付金具２６は横断面が略Ｚ字状をなす板金製になり、ドアフレーム２１の底壁に載置する態様で配置した上で背面側を向く脚片２６１をドアフレーム２１の右フランジ２１０に固着してなる。この場合、取付金具２６の前方側を向く他方の脚片２６２はドアフレーム２１の開口部２４０の左縁よりも左側に位置して開口２４０の外側に位置するようにされている。前記脚片２６１には上下方向に延在する穴２６１ａを有している。前記ロック金具２５は、断面略凹形の細長い板金製になり、取付金具２６の脚片２６１に設けた穴２６１ａおよびドアフレーム２１の右側壁に設けた穴２１ａ（図８の（ａ）参照）を貫通して一端２５１（正面視右端であり、以下では先端ともいう）がドアフレーム２１の右側壁から外方に突出し、他端２５２が上部ドア２の内側に位置する態様で配設され、左右方向の略中央部を取付金具２６に段付きねじＳ（図９の（ｂ）参照）を介して取付けられ、当該段付きねじＳを支点軸として回動自在である。ロック金具２５の先端２５１は上縁より下縁に向かうに従って外側に突出する態様の傾斜面２５１ａを有している。また、ロック金具２５には、その先端２５１側が取付金具２６の脚片２６１に設けた穴２６１ａ若しくはドアフレーム２１の右側壁に設けた穴２１ａの上縁に当接するように付勢するコイルスプリングＳＰが設けられている。
【００４０】
ここで、コイルスプリングＳＰを設けた場合、ロック金具２５の他端２５２側は通常では図示のように長くする必要はないが、この実施の形態ではロック金具２５を図示のとおりに長いものとし、ロック金具２５の支点軸（段付きねじＳ）の位置を、左右中央よりも先端２５１側に位置させて、無負荷状態（コイルスプリングＳＰを設けない状態）で先端２５１側が取付金具２６の脚片２６１に設けた穴２６１ａ若しくはドアフレーム２１の右側壁に設けた穴２１ａの上縁に当接するように定めている。これにより、コイルスプリングＳＰが破損または脱落した場合にもロック金具２５が自重で、前述したように先端２５１側が取付金具２６の脚片２６１に設けた穴２６１ａ若しくはドアフレーム２１の右側壁に設けた穴２１ａの上縁に当接するのを保障している。
【００４１】
前記取付金具２６の前面側には、前方側を向く他方の脚片２６２と対峙する態様で切り起こしにより形成した支持脚片２６３（図９の（ａ）参照）が設けられ、この支持脚片２６３と脚片２６２とに回動自在に取付けられたロック解除レバー２７が設けられている。ロック解除レバー２７は、基端部２７１が前記取付金具２６の支持脚片２６３と脚片２６２とに設けた回動軸２６３１，２６２１を支点として回動自在に軸支され、基端部２７１から前方に延在する摘み２７０がドアフレーム２１の正面視右下の開口２４０に嵌合して設けたところの、前述した引手部２４の連通口を介して当該引手部２４に臨み、基端部２７１から後方に延在する係合片２７２がロック金具２５の他端２５２の下方に位置する態様で取付金具２６に取付けられている。そして、係合片２７２が取付ロック金具２５の他端２５２の下方に当接することによりロック解除レバー２７が待機位置（図示位置）に静止するように構成されている。従って、ドアフレーム２１の正面視右下の引手部２４（図９の（ａ）に示した一点鎖線が引手部２４の空間と開口２４０の溝部２４０ａとを合成した輪郭を示す）に臨む摘み２７０に指を掛けて引き下げるとロック解除レバー２７が回動軸２６３１，２６２１を支点として回動（図９の（ａ）の右側面から見た場合には反時計回りの方向）して係合片２７２がロック金具２５の他端２５２を押し上げる。これによりロック金具２５の先端２５１が取付金具２６の脚片２６１に設けた穴２６１ａおよびドアフレーム２１の右側壁に設けた穴２１ａに没入する態様で回動するものである。
【００４２】
かかる構成の上部ドア２は本体１内に配設されたガイド機構部７に本体１の前方から取付けられるのであるが、この上部ドア２のガイド機構部７への取付けについては後述する。
【００４３】
ドア４にかかる下部ドア３は、図１０に示すように、矩形枠状で上面と背面が開放した薄い箱形の鋼板製になる。下部ドア３の左右側壁の上下の部位にはローラー３１，３１が設けられている。また、下部ドア３の上端には前面側に張り出して下方を向く態様で曲げ起こしたフック状の係止部３２が形成され、下部ドア３の底壁には衝撃吸収材としてのゴム３３が設けられている。この下部ドア３は本体１内に配設されたガイド部材８に本体１の前方から取付けられる。この下部ドア３のガイド部材８への取付けについては後述する。
【００４４】
次に、本体１内に収容される形態で固定された取出口ユニット５について図１１を参照しつつ説明する。図１１は取出口ユニット５を示し、（ａ）はその正面斜視図、（ｂ）はその背面斜視図である。
【００４５】
図１１に示すように、取出口ユニット５は本体１の前面開口を閉塞する態様の前面枠５１と、この前面枠５１の背後に配置された取出口枠５２との組立体からなる。前面枠５１は矩形枠状の薄い箱形の鋼板製になり、左右側壁から外方に張り出すと共に端部が後方（背面側）に折り曲げられたフランジ５１１，５１１を備えてなる。前面枠５１の板面上部域には開口５１４が形成され、前面枠の板面下部域にはカバー５１２で閉塞された窓５１３が形成されている。取出口枠５２は、左右側板５２１，５２１と底板５２２とからなる。取出口枠５２の底板５２２は、前方域が下方に湾曲して形成される一方、後端が前端よりも高くなる形態をなしている。底板５２２の後端は鉛直に折り曲げられ、前述した背板１５（図２参照）に設けた固定金具１５Ａにねじ止めされる。左右側板５２１，５２１と底板５２２とに囲まれた空間は、前述したところの、本体１内に格納された２基の商品ラック６，６における左コラム６２と右コラム６１との間に画成されたタバコの落下搬出路６００に連通しており、２基の商品ラック６，６の商品コラム６１１から払い出されて底板５２２の後方域に落下したタバコが底板５２２の前方域に集まるように構成されている。この取出口ユニット５は、本体１内に配設されたガイド機構部７に左右フランジ５１１，５１１の折り曲げ部を固着して本体１内に収容された状態で配設される。
【００４６】
次に、上部ドア２を上下方向にスライド移動させるガイド機構部７、下部ドア３をスライド移動させるガイド部材８について図１２乃至図１７を参照して説明する。
【００４７】
ガイド機構部７は、図１２に示すように門型をなしている。このガイド機構部７は、図１７に示すように本体１内の前端部に収容設置される。このガイド機構部７を分解した図１３に示すように、門柱となる左右の外枠７１と内枠７２と桁としての上枠７３とを備えている。なお、左右の門柱の構造は同一であるので、同一のものには同一の符号を付している。図１２のＡ−Ａ線断面図である図１６に示すように、外枠７１と内枠７２の幅は外枠７１に対して内枠７２の幅が小さく形成され、それぞれの背面側のフランジ７１１，７２１を互いに対向する方向に形成されている。そして、両フランジ７１１，７２１を密着させた状態で外枠７１と内枠７２とを抱き合せて結合することにより内部に収納空間が形成される。この場合、内部の収納空間は、背面側が両フランジ７１１，７２１によって閉塞される一方、前面側が開放されている。外枠７１と内枠７２のそれぞれの上端を上枠７３に所定の間隔をおいて固着することにより門型の形態をなすものである。なお、正面視右側の内枠７２の前面寄りにはスリット状の係止穴７２３が上下方向に複数（実施の形態では６個）形成されている（図１２の（ｂ）参照）。この係止穴７２３は上部ドア２に設けたロック金具２５の先端２５１が係合するものである。これらの係止穴７２３のうちの最上位の係止穴７２３は他の係止穴７２３よりも短く形成され、この係止穴７２３にロック金具２５の先端２５１が係合することにより上部ドア２を上昇位置にロックするものである。
【００４８】
外枠７１と内枠７２との間の内部には上下方向に延在するガイドレール７４と上部ドア２を懸架する懸架機構９が配設される。懸架機構９は、図１４にも示すように、上部ドア２を係止固定する係止部材９１、一端に前記係止部材９１が連結される共にプーリー９２を介して他端に錘９３が連結されたベルト９４からなる。左右のプーリー９２，９２は連結軸９５により連結されており、連結軸９５の両端が左右の外枠７１に軸支されている。前記ベルト９４は、図１５に示すように歯付きベルトであり、プーリー９２も歯付きプーリーが用いられている。なお、図１５ではベルト９４に関して係止部材９１が連結される一端側の一部のみを歯付きとして示しているが錘９３が係止された他端まで歯が付いているものである。
【００４９】
係止部材９１は、図１５にも示すように、上下方向に延在する短冊状の鋼板製になり、上下両端に前方を向くローラー９１１，９１１と側面を向くローラー９１２，９１２がそれぞれ取付けられている。また、係止部材９１の前フランジ９１３には上下方向に３個のねじ穴９１４が穿設されている。この３個のねじ穴９１４は、図８に示した上部ドア２におけるドアフレーム２１の左右のフランジ２１０，２１０に設けた３個の係止部２１１ａに一致するものである。そして、係止部材９１の上部には、図１５の（ｃ）も参照すると分かるように、ベルト９４を保持する保持片９１５とベルト９４を保持片９１５との間に挟持して固定する固定金具９６をねじ９１７でねじ止めするための固定片９１６が切り起こしにより形成されている。固定金具９６は、係止部材９１の保持片９１５との間にベルト９４を挟み付ける部位にベルト９４の歯と噛み合う歯を有し、両者の歯を噛み合わせた状態で固定金具９６を固定片９１６にねじ９１７でねじ止めすることによりベルト９４の抜け止めが施された状態で係止部材９１がベルト９４に吊下げられる。
【００５０】
前記ベルト９４の他端に連結される錘９３も同様の構造によりベルト９４の他端に吊下げられている。また、錘９３の前面および後面には正面側を向く上下一対のローラー９３１が設けられている。そして、錘９３の重量は、プーリー９２を介してベルト９４の一端に吊下げられた係止部材９１に装着される上部ドア２側の重量とバランスし、上部ドア２側の重量に対して僅かに軽い重量に定められるものである。
【００５１】
ガイドレール７４はベルト９４に吊下げられた係止部材９１を案内するものであり、門柱を形成する外枠７１にねじ止めされる。ガイドレール７４は、図１６に示すように係止部材９１に設けたローラー９１２を前後から挟む態様の２条の突起７４１，７４１と錘９３の前面に設けたローラー９３１を内枠７２との間に挟む態様の突起７４２を備えている。また、外枠７１のフランジ７１１の端部は錘９３の後面のローラー９３１を保持する態様で収納空間の内部に向けて折り曲げられている。従って、外枠７１と内枠７２との間の収納空間に懸架機構９とガイドレール７４を配した状態で、懸架機構９の係止部材９１と錘９３はガイドレール７４に沿ってスムーズに昇降するものである。
【００５２】
ガイド部材８は、下部ドア３を上下方向にスライド移動させるものである。このガイド部材８は横断面コ字状の厚板鋼板製になり、コ字状の空間に下部ドア３の左右側壁に設けたローラー３１，３１を収容する態様で門型をなすガイド機構部７の内枠７２に固着されたものである。
【００５３】
ガイド機構部７は、本体１内に収容する前段階で図１２に示すように組立てられる。図１２のように組立てられたガイド機構部７においては、外枠７１と内枠７２との間の収納空間に配設された懸架機構９の係止部材９１の前フランジ９１３が前面に裸出しており、当該前フランジ９１３に穿設したねじ穴９１４も前方に裸出している。このように組立てられたガイド機構部７を本体１に収容した上で、門柱となる外枠７１と内枠７２の底面に設けたフランジ７１０，７２０（図１６参照）を基台１２にねじ止めすることにより本体１内に収容設置される（図１７）。この場合、ガイド部材８は、懸架機構９の係止部材９１における前面に裸出した前フランジ９１３よりも後方側（背面側）に位置している。
【００５４】
図１７に示すようにガイド機構部７を本体１に収容した後、前述した取出口ユニット５を本体１内に収容設置する。取出口ユニット５は左右フランジ５１１，５１１をガイド機構部７に固着することにより取付けられる。この場合、取出口ユニット５の左右側壁から外方に張り出す左右フランジ５１１，５１１を内側に撓ませた状態でガイド機構部７の門柱の間を通過させる。なお、取出口ユニット５の前面枠５１は、左右のガイド機構部７，７に固着されたガイド部材８，８の間の間隔よりも小さく定められており、ガイド部材８，８の間を通過させることができる。このように、取出口ユニット５の前面枠５１をガイド部材８，８の間を通過させてガイド部材８，８の後方側（背面側）に位置させた状態で、左右フランジ５１１，５１１の先端の折り曲げ部をガイド機構部７の内枠７２の背面下方に背面側に突出して設けた固定片７２２（図１６参照）にねじ止めする。なお、このねじ止め作業は、前面枠５１のカバー５１２で閉塞される窓５１３若しくは本体１の前面開口を介して行うことができる。そして、取出口枠５２の底板５２２の後端を本体１の背板１５に設けた固定金具１５Ａにねじ止めして取出口ユニット５を本体１内に収容設置する。
【００５５】
次いで、下部ドア３を左右のガイド機構部７，７の内枠７２に固着されたガイド部材８，８に装着する。すなわち、下部ドア３をガイド部材８，８の上方に持ち上げた上で下部ドア３の左右側壁に設けたローラー３１，３１のうちの下側のローラー３１をガイド部材８，８のコ字状の空間に嵌め込んで下降させつつ上側のローラー３１もガイド部材８，８のコ字状の空間に嵌め込む。これにより下部ドア３がガイド部材８，８に保持された状態で取出口ユニット５の前面枠５１の前方に重なる態様で下降位置にある。この場合、下部ドア３の上端に設けたフック状の係止部３２は前面側に張り出している。
【００５６】
最後に上部ドア２をガイド機構部７の収納空間に配された懸架機構９の係止部材９１に次のように装着する。すなわち、懸架機構９の係止部材９１における前面に裸出した前フランジ９１３に穿設したねじ穴９１４に頭付きのねじをねじの頭部が前フランジ９１３から離隔した状態に螺着する。そして、上部ドア２におけるドアフレーム２１の左右のフランジ２１０，２１０に穿設した「だるま穴」形状の係止部２１１ａを前記ねじに引っ掛ける。この場合、「だるま穴」形状の係止部２１１ａの丸穴の径は前記ねじの頭部の径よりも大きく、また、丸穴に連通する細溝の幅はねじの頭部の径よりも小さく、かつ、ねじの径よりも大きく形成されているので、「だるま穴」形状の係止部２１１ａの丸穴にねじの頭部を貫通させた上で上部ドア２を下降させて細溝の上縁をねじに当接させる。このように、係止部材９１の前フランジ９１３に螺着したねじに上部ドア２の係止部２１１ａを引っ掛けた後、ねじを締め付けると上部ドア２が係止部材９１に装着される。係止部材９１に装着された上部ドア２は前述したガイド部材８に装着された下部ドア３より前方側に位置しており、上部ドア２が上昇・下降する際に下部ドア３と干渉することがない。
【００５７】
ここで、この実施の形態においては上部ドア２および下部ドア３を本体１に装着した際、上部ドア２におけるドアフレーム２１の底壁に設けたフック状の係止部２８を下部ドア３の上端に設けたフック状の係止部３２よりも下方に位置させ、上部ドア２の係止部２８を下部ドア３の係止部３２に引っ掛けることにより上部ドア２の上昇・下降に下部ドア３が追従して上昇・下降するようにしている。このため、上部ドア２を係止部材９１に装着する際、係止部材９１を下降位置にある下部ドア３と前後方向に重なる位置まで下降させた状態で当該係止部材９１に上部ドア２を装着する。つまり、上部ドア２におけるドアフレーム２１の底壁に設けたフック状の係止部２８と下部ドア３の上端に設けたフック状の係止部３２との関係が上部ドア２の係止部２８が下部ドア３の係止部３２よりも下方に位置する関係となる態様で上部ドア２を係止部材９１に装着する。
【００５８】
かかる態様、すなわち、係止部材９１を下降位置にある下部ドア３と前後方向に重なる位置まで下降させた状態で当該係止部材９１に上部ドア２を装着した状態で、上部ドア２の正面視右下の引手部２４の背面に設けたロック金具２５の先端２５１が正面視右側の内枠７２の前面寄りに設けたスリット状の係止穴７２３（図１２の（ｂ）参照）のうちの最下位の係止穴７２３に進入していると仮定すると、ロック金具２５は水平状態にあり、ロック金具２５の先端２５１の傾斜面２５１ａが係止穴７２３を横切るように構成されている。この状態で上部ドア２を上昇させる過程でロック金具２５の傾斜面２５１ａが係止穴７２３の上縁に当接するとロック金具２５は支点軸（段付きねじＳ（図９の（ｂ）参照）を中心に回動（正面視時計回り方向）して係止穴７２３から抜け出す。そして、ロック金具２５の先端２５１が内枠７１の表面を摺動しながら上昇し最下位から２番目の係止穴７２３に到達するとロック金具２５がコイルスプリングＳＰの付勢力により当該係止穴７２３に進入して水平姿勢となるが、更なる上部ドア２の上昇によりロック金具２５の傾斜面２５１ａが係止穴７２３の上縁に当接するとロック金具２５は前述したように回動（正面視時計回り方向）して当該係止穴７２３から抜け出す。このように、上部ドア２を上昇させるとロック金具２５は複数（下から５番目まで）の係止穴７２３に順次係合するが係合穴７１１を通過する都度離脱する。そして、上部ドア２が上昇位置に到達するとロック金具２５の先端が最上位の係止穴７２３に進入するとコイルスプリングＳＰの付勢力によりロック金具２５の先端２５１が取付金具２６の脚片２６１に設けた穴２６１ａ若しくはドアフレーム２１の右側壁に設けた穴２１ａの上縁に当接して水平姿勢に維持された状態で当該係止穴７２３に係合し、上部ドア２を上昇位置にロックする。このロック金具２５による上部ドア２のロック解除は、上部ドア２の正面視右下の引手部２４に臨むロック解除レバー２７の摘み２７０に指を掛けて引き下げることにより、ロック金具２５が回動（正面視時計回りの方向）してロック金具２５の先端２５１が最上位の係止穴７２３から抜け出してロック金具２５によるロックが解除される。この場合、ロック金具２５の回動を手助けするため上部ドア２を僅かに上昇させるのがよい。
【００５９】
前記上部ドア２、下部ドア３、取出口ユニット５により本体１の前面開口を閉塞した状態を図１８に示す。図１８は上部ドア２、下部ドア３、取出口ユニット５により本体１の前面開口を閉塞した状態の概略断面図である。図から分かるように、上部ドア２、下部ドア３、取出口ユニット５の前面枠５１は上下方向に重なることなく前後方向に位置をずらし、取出口ユニット５の前面枠５１の前に下部ドア３が位置し、その下部ドア３の前に上部ドア２が位置するように配されている。なお、図１８において、Ｗは上部ドア２に設けた液晶ディスプレイ２３のハーネスである。また、取出口ユニット５の背後には図示は省略したが電源ユニット、制御ユニットなどが配設される。制御ユニットは、タバコ自動払出機１００の全体の制御を司る制御部を有するものであり、この制御部には各種の実行プログラムを記憶したＲＯＭ，各種データを格納するＲＡＭ，各種入力信号により各種実行プログラムを実行するＣＰＵなどを備え、商品ラック６の商品コラム６１１に設けた商品搬出機構６４はＲＯＭに格納された実行プログラムに従って駆動制御されるものである。
【００６０】
かかる構成のタバコ自動払出機１００は、図１に示したようにレジカウンターの中（背面側）に設置されて店員の支援のために用いられる。図１９の（ａ）は図１に示したタバコ自動払出機１００と同様に上部ドア２を上昇させて本体１の前面開口を閉塞した状態を示している。上部ドア２を上昇位置に上昇させた状態では、上部ドア２におけるドアフレーム２１の底壁に設けたフック状の係止部２８に下部ドア３の上端に設けたフック状の係止部３２が係合して下部ドア３が上部ドア２に懸架された状態で本体１の前面開口を閉塞している。この状態から本体１内に配設された商品ラック６にタバコを補充する場合には、上部ドア２の正面視右下の引手部２４に臨むロック解除レバー２７の摘み２７０に指を掛けてロック金具２５による上部ドア２のロックを解除する。そして、摘み２７０を引手部２４に当接させた状態（つまり、ロック金具２５による上部ドア２のロックを解除した状態）で上部ドア２の四隅の引手部２４のうちの適宜の引手部２４（例えば、上部ドア２の正面視左下の引手部２４）に手を掛けて上部ドア２を下降させる。この場合、上部ドア２はプーリー９２介して他端に錘９３が吊下げられたベルト９４の一端に吊下げられた係止部材９１に装着され、錘９３の重量が上部ドア２側の重量に対して僅かに軽い重量に定められていることから僅かな力を加えるのみで下降させることが可能となる。また、上部ドア２の下降に伴って下部ドア３も下降する。下部ドア３が取出口ユニット５の前面枠５１の前に重なる態様で下降して下部ドア３の底壁に設けたゴム３３が基台１に当接すると下部ドア３の下降が停止し、引き続き上部ドア２を下部ドア３の前に重なる態様で下降させる。この場合、上部ドア２におけるドアフレーム２１の底壁に設けたフック状の係止部２８が下部ドア３の上端に設けたフック状の係止部３２から離隔する。そして、上部ドア２のドアフレーム２１の底壁に設けたゴム２９が基板１１に当接するまで下降させると本体１内に格納された商品ラック６の前面が開放される（図１９の（ｂ）参照）。
【００６１】
かかる状態で商品ラック６の前ラック板６０２に設けた把手６８１を引き起こして商品ラック６の本体１内への格納状態のロックを解除した上で商品ラック６を、レール機構Ｒを介して本体１の前方に引き出し（図１９の（ｃ）参照）、商品ラック６にレール機構Ｒを挟んで左右２列配設された商品コラム６１１に左右方向からタバコを装填（補充）する。タバコの補充後は前記レール機構Ｒを介して商品ラック６を本体１内に格納した上で上部ドア２の引手部２４（例えば、上部ドア２の正面視上側の左右の引手部２４）に手を掛けて上部ドア２を上昇させる。上部ドア２の上昇により上部ドア２におけるドアフレーム２１の底壁に設けたフック状の係止部２８が下部ドア３の上端に設けたフック状の係止部３２に接近し、上部ドア２の係止部２８が下部ドア３の係止部３２に係合すると上部ドア２の上昇に伴って下部ドア３も上昇する。上部ドア２を上昇位置まで上昇させるとロック金具２５により上部ドア２が上昇位置にロックされる。
【００６２】
なお、上部ドア２に設けたロック金具２５は、上部ドア２を下降させる途中において、左右のベルト９４が不測に切断された場合に正面視右側の内枠７２の前面寄りに設けたスリット状の係止穴７２３（図１２の（ｂ）参照）のうちの一つに係合して上部ドア２の落下を防止するものである。つまり、上部ドア２を下降させる途中で左右のベルト９４が切断されると上部ドア２が急激に下降して上部ドア２の引手部２４から手が離れるので、ロック解除レバー２７の摘み２７０からも手が離れる。これによりコイルスプリングＳＰの付勢力により水平姿勢に戻ろうとする力が作用したロック金具２５は、左右のベルト９４が切断された時点で対峙する係止穴７２３、係止穴７２３が対峙していない場合には直下の係止穴７２３に進入して水平姿勢となると当該係止穴７２３に係合（係止穴７２３の下縁に当接）して上部ドア２の落下を阻止する。従って、上部ドア２が基台１１上に落下して上部ドア２および上部ドア２に搭載された液晶ディスプレイ２３が破損するのを防止することができるものである。
【００６３】
前述したように、この実施の形態に係るタバコ自動払出機１００によれば、前面が開口した箱形の本体１と、この本体１の天井面に敷設された前後方向に伸縮自在なレール機構Ｒと、このレール機構Ｒにより本体１内に格納および本体１内から前方に引き出し可能であって、レール機構Ｒを挟んで左右２列配設され、商品搬出機構６４の上にタバコを上下方向に積み重ねて収納し、かつ、タバコの装填口が左右方向を向く態様の商品コラム６１１を前後方向に複数有し、当該左右２列の商品コラム６１１の商品払出機構６４の払出口がタバコの落下搬出路６００となるように間隔を置いて対峙する態様で配設された商品ラック６と、前記本体１の前面開口の下部域を閉塞する態様で配設され、前記商品コラム６１１から払い出されたタバコの取出口５０を備えた取出口ユニット５と、この取出口ユニット５の上部に位置して前記本体１の前面開口の上部域を閉塞する態様で上下方向に昇降自在に配設されたドア４とを備え、このドア４を取出口ユニット５の前方側に下降させることによりレール機構Ｒを介して本体内に格納された商品ラック６の前方への引き出を許容することにより、店頭販売されるタバコを本体１内に格納して手を触れることができないようにすることが可能である。また、商品コラム６１１の商品払出機構６４を注文端末からの注文に応じて作動させることにより、店員はタバコ自動払出機１００の取出口５０に払い出されたタバコを取り出して直ちに顧客に手渡すことができるものである。従って、店員を支援、つまり、顧客を待たせるという店員の精神的負担を軽減することが可能なタバコ自動払出機を提供することができるという効果を奏する。
【００６４】
なお、前述した実施の形態においては、取出口ユニット５に関して、前面枠５１と、この前面枠５１の背後に配置された取出口枠５２との組立体からなるものについて説明したが、前面枠５１と取出口枠５２とをそれぞれ個別に本体１に取付けることができるものであり、この発明において取出口ユニット５とは商品ラック６から払い出されたタバコを本体１内から取りさせればよいものであり、実施の形態に限定されるものではない。
【符号の説明】
【００６５】
１…本体、２…上部ドア、３…下部ドア、４…ドア、５…取出口ユニット、６…商品ラック、７…ガイド機構部、８…ガイド部材、９…懸架機構、２５…ロック金具、２８，３３…係止部商品収納通路、６１…右コラム、６１Ａ〜６１Ｃ…右コラム群、６２…左コラム、６２Ａ〜６２Ｃ…左コラム群、６３…仕切部材、６４…商品搬出機構、９１…係止部材、９２…プーリー、９３…錘、９４…ベルト、６１１…商品コラム、Ｒ…レール機構。
【図１】
2018181003.tif 000003
【図２】
2018181003.tif 000004
【図３】
2018181003.tif 000005
【図４】
2018181003.tif 000006
【図５】
2018181003.tif 000007
【図６】
2018181003.tif 000008
【図７】
2018181003.tif 000009
【図８】
2018181003.tif 000010
【図９】
2018181003.tif 000011
【図１０】
2018181003.tif 000012
【図１１】
2018181003.tif 000013
【図１２】
2018181003.tif 000014
【図１３】
2018181003.tif 000015
【図１４】
2018181003.tif 000016
【図１５】
2018181003.tif 000017
【図１６】
2018181003.tif 000018
【図１７】
2018181003.tif 000019
【図１８】
2018181003.tif 000020
【図１９】
2018181003.tif 000021